(57)【要約】【課題】この発明は、表示パネルの筐体を薄くでき十分な強度を付与できる表示装置、および携帯型電子機器を提供することを課題とする。【解決手段】ノートＰＣ１は、ヒンジ部３を介して開閉可能に接続した表示装置２およびＰＣ本体４を有する。表示装置２は、表示パネルの背面側を覆う筐体１０および筐体１０の外面を部分的に覆うように貼り付けられた補強板２０を有する。【選択図】      図１
2006293926.tif 000002
【特許請求の範囲】
【請求項１】
表示パネルと、
この表示パネルの背面側を覆う筐体と、
この筐体と異なる材料により形成され該筐体の略全長に亘って第１方向に延び且つ上記第１方向と交差する第２方向に関して上記筐体を部分的に覆うように該筐体の外面に貼り付けられた補強板と、
を有することを特徴とする表示装置。
【請求項２】
上記補強板は、上記第２方向に関して上記筐体の略半分を覆う大きさを有することを特徴とする請求項１に記載の表示装置。
【請求項３】
上記補強板は、上記第１方向に延びた縁部を有し、この縁部が上記筐体の略中央を通る位置に配置されることを特徴とする請求項２に記載の表示装置。
【請求項４】
上記補強板は、上記表示パネルに駆動回路を接続する部位を覆う位置に配置されることを特徴とする請求項１に記載の表示装置。
【請求項５】
上記補強板は、上記表示パネルのライトを覆う位置に配置されることを特徴とする請求項１に記載の表示装置。
【請求項６】
上記筐体は樹脂により形成され、上記補強板は少なくとも軽金属を含む合金により形成されていることを特徴とする請求項１に記載の表示装置。
【請求項７】
上記筐体は、上記補強板で覆われる部位に少なくとも１つの開口部を有することを特徴とする請求項１に記載の表示装置。
【請求項８】
上記表示パネルが上記筐体の開口部を介して上記補強板に対向する部位に電子部品が突設されていることを特徴とする請求項７に記載の表示装置。
【請求項９】
上記補強板は金属により形成され、
上記筐体の上記開口部を除く上記表示パネルに対向する内面には、電磁波をシールドするシールド部材が設けられ、
このシールド部材は、上記筐体の開口部を介して上記補強板に電気的に接続されていることを特徴とする請求項７に記載の表示装置。
【請求項１０】
上記開口部の縁には、その全周に亘って、上記補強板に向けて突出した環状の壁部が設けられていることを特徴とする請求項７に記載の表示装置。
【請求項１１】
上記筐体は樹脂により形成され上記補強板を取り付けるための凹部を有し、
上記補強板は少なくとも軽金属を含む合金により形成され上記凹部に取り付けられた状態で上記第１方向に延びた上記縁部が上記筐体の外面より上記凹部内に退避していることを特徴とする請求項３に記載の表示装置。
【請求項１２】
外部装置との間で無線通信するためのアンテナをさらに有し、
上記アンテナは、上記補強板と重ならない位置に配置されていることを特徴とする請求項６に記載の表示装置。
【請求項１３】
上記筐体の上記表示パネルに対向する内面であって上記アンテナに重ならない位置に電磁波をシールドするためのシールド部材をさらに有することを特徴とする請求項１２に記載の表示装置。
【請求項１４】
表示パネルと、
この表示パネルの背面側を覆う樹脂製の筐体と、
少なくとも軽金属を含む材料により形成され上記筐体の外面を部分的に覆うように該筐体の略全長に亘って貼り付けられた補強板と、
外部装置との間で無線通信をするため、上記補強板と重ならない位置に配置されたアンテナと、
を有することを特徴とする表示装置。
【請求項１５】
上記筐体の上記表示パネルに対向する内面であって上記アンテナに重ならない位置に電磁波をシールドするためのシールド部材をさらに有することを特徴とする請求項１４に記載の表示装置。
【請求項１６】
上記筐体は、上記補強板で覆われる部位に少なくとも１つの開口部を有し、
上記シールド部材は、上記開口部を介して上記補強板に電気的に接続されていることを特徴とする請求項１５に記載の表示装置。
【請求項１７】
入力装置を前面に有する機器本体と、
この機器本体の前面を開閉可能に設けられた請求項１乃至請求項１６のいずれかに記載の表示装置と、
を有することを特徴とする携帯型電子機器。
【発明の詳細な説明】
【技術分野】
【０００１】
この発明は、ノート型パーソナルコンピュータなどの携帯型電子機器、およびその表示パネルを内蔵した表示装置に関する。
【背景技術】
【０００２】
従来、携帯型電子機器として、例えば、表示パネルの筐体をＰＣ本体に対して開閉可能に取り付けたノート型パーソナルコンピュータ（以下、ノートＰＣと称する）が知られている。このノートＰＣは、携帯することを前提に設計されており、特に表示パネルの筐体には高い剛性が必要とされている。
【０００３】
このため、筐体の補強構造として、筐体の背面側に矩形板状の透明アクリル板を補強部材として貼り付けた構造が知られている（例えば、特許文献１参照。）。この補強部材は、筐体背面全体を略覆う大きさに形成され、その縁部が筐体背面に接着されている。
【０００４】
このように、筐体の背面側、すなわち表側全面に補強部材を貼り付けることにより、筐体の厚さを必要以上に厚くすることなく、強度を高めることができる。また、筐体背面に傷がついた場合であっても、補強部材を交換するだけで傷の補修が可能となる。
【０００５】
しかし、上述したように、補強部材を筐体と略同じ大きさにすると、筐体の周縁部近くの強度を高めることができる反面、筐体中央近くの強度を十分に高くすることができない。中央近くの強度を高くするためリブ等を設ける方法も考えられるが、その分筐体が厚くなってノートＰＣが厚くなってしまう。
【特許文献１】特開２００３−１５５３０号公報（段落［００５９］、図５）
【発明の開示】
【発明が解決しようとする課題】
【０００６】
この発明の目的は、表示パネルの筐体を薄くでき十分な強度を付与できる表示装置、および携帯型電子機器を提供することにある。
【課題を解決するための手段】
【０００７】
上記目的を達成するため、本発明の表示装置は、表示パネルと、この表示パネルの背面側を覆う筐体と、この筐体と異なる材料により形成され該筐体の略全長に亘って第１方向に延び且つ上記第１方向と交差する第２方向に関して上記筐体を部分的に覆うように該筐体の外面に貼り付けられた補強板と、を有する。
【０００８】
上記発明によると、表示装置の筐体の外面に部分的に貼り付けられた補強板が第２方向に関して筐体より短くされているため、少なくとも第２方向に沿った補強板の剛性を高めることができ、補強板の大きさを筐体より十分に小さくした上で補強強度を高めることができる。
【０００９】
また、本発明の表示装置は、表示パネルと、この表示パネルの背面側を覆う樹脂製の筐体と、少なくとも軽金属を含む材料により形成され上記筐体の外面を部分的に覆うように該筐体の略全長に亘って貼り付けられた補強板と、外部装置との間で無線通信をするため、上記補強板と重ならない位置に配置されたアンテナと、を有する。
【００１０】
上記発明によると、加工が容易で軽量安価な樹脂により筐体を形成し、金属製の補強板を部分的に貼り付けて、補強板に重ならない位置にアンテナを配置したため、金属製の補強板によってアンテナの通信性能が損なわれることがない。
【発明の効果】
【００１１】
この発明の表示装置、および携帯型電子機器は、上記のような構成および作用を有しているので、表示パネルの筐体を薄くでき十分な強度を付与できる。
【発明を実施するための最良の形態】
【００１２】
以下、図面を参照しながらこの発明の実施の形態について詳細に説明する。
【００１３】
図１には、この発明の実施の形態に係る携帯型電子機器として、ノート型パーソナルコンピュータ１（以下、単に、ノートＰＣ１と称する）の概略斜視図を示してある。また、図２には、このノートＰＣ１の表示装置２をＰＣ本体４（機器本体）に対して開放した状態の概略斜視図を示してある。
【００１４】
図２に示すように、ノートＰＣ１は、ＰＣ本体４のリア側に２つのヒンジ部３を介して表示装置２を開閉可能に取り付けて構成されている。ＰＣ本体４の上面（前面）には、オペレータによる入力装置として機能するキーボード６等が配置されており、図１に示すように表示装置２を閉じることでキーボード６が閉塞される。一方、表示装置２は、閉じたときにキーボード６に対面する画面を有する表示パネル８を内蔵している。
【００１５】
表示装置２は、表示パネル８の背面側を覆うように取り付けられた樹脂製の筐体１０を有する。筐体１０の外面には、アルミニウム板を加工した補強板２０が筐体表面を部分的に覆うように貼り付けられている。本実施の形態では、補強板２０は、略矩形板状に形成され、表示装置２の短手方向（第２方向）に沿ってヒンジ部３に近い側に偏った位置に貼り付けられており、表示装置２の長手方向（第１方向）略全長に亘って延びた縁部２１を有する。本実施の形態では、補強板２０が筐体１０の長手方向全長に亘って設けられ且つ筐体１０の短手方向略半分を覆う大きさに形成されているため、長手方向に沿った縁部２１が筐体１０の略中央を通っている。
【００１６】
このように、表示装置２の短手方向に関して筐体１０の外面を部分的に覆うサイズの補強板２０を貼り付けることにより、補強板２０の短手方向に沿った剛性を高めることができ、その結果、筐体１０の剛性を高めることができる。つまり、従来のように補強板を筐体と略同じ大きさにして筐体の全面に貼り付けると、筐体の中央部において十分な剛性を得ることができないが、本実施の形態のように補強板の１方向に沿った長さを短くすることで、少なくとも短くした方向に関する剛性を高めることができる。また、補強板２０の縁部２１が筐体１０の略中央を通って配置されているため、この縁部２１を筐体１０に接着することで、中央部の剛性をも高めることができる。
【００１７】
以下、図３乃至図８を参照して、上述した表示装置２の構造についてさらに詳細に説明する。図３には、ノートＰＣ１を短手方向に沿って切断した断面図を示してあり、図４には、補強板２０を筐体１０の凹部１１から取り外した状態をノートＰＣ１のリア側から見た斜視図を示してあり、図５には、筐体１０の凹部１１から取り外した補強板２０の斜視図を示してあり、図６には、補強板２０を裏側から見た斜視図を示してあり、図７には、筐体１０の凹部１１と補強板２０との間の接続部分を拡大した断面図を示してあり、図８には、表示パネル８を取り外した状態の筐体１０の内面側の斜視図を示してある。
【００１８】
表示装置２は、上述したように、表示パネル８、筐体１０、補強板２０などを組み合わせて構成されている。具体的には、表示装置２は、図８に示す筐体１０の内側に表示パネル８を収容配置し、表示パネル８の前面周縁部に図２に示すような矩形枠状のフレーム１２を取り付け、筐体１０の背面に形成された凹部１１に図５に示す補強板２０を貼り付けて組み立てられる。
【００１９】
本実施の形態では、表示パネル８は、液晶ディスプレイ（ＬＣＤ）であり、バックライトとして機能する図示しない蛍光ランプを内蔵している。また、図４に示すように、表示パネル８の裏面側には、図示しない駆動回路を接続するための配線基板９が接続されている。配線基板９は、ヒンジ部３近くで表示装置２の長手方向に延設され、表示パネル側の図示しない接続端子に圧着されている。
【００２０】
筐体１０は、表示パネル８の背面側を覆うように配置されている。筐体１０の外面には、補強板２０を収容配置するための凹部１１が形成されている。また、この補強板２０が重なる凹部１１には、図４に示すように、３つの開口部１３が形成されている。各開口部１３の縁には、その全周に亘って補強板２０に向けて突出した環状の壁部１４が形成されている。この環状の壁部１４は、開口部１３の周囲の凹部１１に接着剤を塗布して補強板２０を接着固定する際に、接着剤が開口部１３内に流入してしまうことを防止するよう機能する。
【００２１】
さらに、図８に示すように、筐体１０が表示パネル８に対向する内面には、図示しない外部装置との間で無線通信するための２つのアンテナ１５が貼り付けられており、開口部１３およびアンテナ１５の機能部１５ａを除く略全面にシールド部材１６が設けられている。本実施の形態では、シールド部材１６は、アルミニウムを筐体１０の内面に蒸着することで形成される。
【００２２】
すなわち、アンテナ１５は、金属性の補強板２０と重ならない位置に配置されており、且つアンテナ１５の機能部１５ａにシールド部材１６が重ならないようになっているため、補強板２０またはシールド部材１６によってアンテナ１５による通信性能を低下させることがない。
【００２３】
補強板２０は、筐体１０の外面側に形成された凹部１１に取り付けられる。補強板２０は、図５および図６に示すように、その長手方向両端２２が筐体１０の凹部の形状に合わせて同じ方向に折り曲げられており、縁部２１から離間した長辺２３も僅かに折り曲げられてリブ２４を構成している。このように、補強板２０の長手方向に沿ったリブ２４を形成することで、補強板２０の長手方向に沿った剛性をも高められている。
【００２４】
また、補強板２０は、図３に示すように筐体１０の凹部１１に取り付けられた状態で、図７に拡大して示すように、その縁部２１が筐体１０の外面１０ａより凹部１１に向けて僅かに退避している。つまり、樹脂製の筐体１０に対して金属製の補強板２０を貼り付けるため、補強板２０の縁部２１が筐体１０の外面１０ａより突出していると、ノートＰＣ１の携帯時にユーザの手を傷つける可能性がある。このため、本実施の形態では、補強板２０の縁部２１が筐体１０の外面１０ａから突出しないように縁部２１を凹部１１に埋設した。
【００２５】
そして、補強板２０は、筐体１０の凹部１１に取り付けられた後、図４および図８に示す導電性テープ１７により、開口部１３を介してシールド部材１６と電気的に接続される。これにより、シールド部材１６を形成できない開口部１３の領域に配置した補強板２０をシールド部材として機能させることができ、ノートＰＣ１から外部に漏れる電磁波を効果的に遮蔽することができる。
【００２６】
また、筐体１０の開口部１３を介して補強板２０に対向する表示パネル８の背面には、電子部品１８が突設されている。表示パネル８の背面から突設された電子部品１８があると、筐体１０に外部から応力が作用したとき、電子部品１８の位置で応力が集中して表示パネル８の破壊の原因となる。このため、本実施の形態のように、突出した電子部品１８の位置に筐体１０の開口部１３を形成することで、筐体１０の厚さ分だけ撓みのマージンを稼ぐことができ、応力の集中を防止できる。
【００２７】
以上のように、本実施の形態によると、筐体１０の短手方向に関して約半分の幅の補強板２０を凹部１１に貼り付けたため、補強板２０の短手方向に沿った剛性を高めることができ、補強板を全面に設ける場合と比較して装置を軽量化できる。また、筐体１０の外面１０ａを部分的に覆うように補強板２０を貼り付けたため、補強板２０の無い位置にアンテナ１５を配置でき、通信性能を損なうことがない。
【００２８】
また、本実施の形態によると、表示パネル８に配線基板９を接続した部位、すなわち、外部からの応力によって破損し易い部位を覆う位置に選択的に補強板２０を配置でき、携帯に適したノートＰＣ１を提供できる。
【００２９】
また、本実施の形態では、筐体１０の補強板２０が重なる部位、すなわち筐体１０の凹部１１に３つの開口部１３を形成したため、その分、筐体１０を軽量化でき、材料費を削減できる。また、表示パネル８の背面から突設された電子部品１８の位置に筐体１０の開口部１３を形成したため、凹部１１を覆う補強板２０に外部から応力が作用した場合、筐体１０の厚さ分だけ補強板２０の撓みのマージンをとることができ、電子部品１８に補強板２０が接触する可能性を低くできる。
【００３０】
また、補強板２０を重ねる筐体１０の部位に開口部１３を形成したことにより、筐体１０内面に蒸着したシールド部材１６と金属製の補強板２０を開口部１３を介して電気的に接続することができ、開口部１３を設けることで減少したシールド部材１６の面積を補強板２０で補うことができ、電磁波を効果的にシールドすることができる。
【００３１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００３２】
例えば、上述した実施の形態では、筐体１０の外面の略半分を覆う１枚の補強板２０を筐体１０の長手方向に延設した場合について説明したが、これに限らず、２枚以上の補強板を設けても良い。また、筐体１０の短手方向に延びた補強板を設けても良く、Ｌ字形に設けても良い。いずれにしても、補強板２０の１方向を短くすることでその方向に沿った補強板の剛性を高めるようにすれば良い。
【００３３】
また、上述した実施の形態では、表示装置２の筐体１０を樹脂により形成し、補強板２０をアルミニウムで形成した場合について説明したが、これに限らず、補強板２０をマグネシウム合金により形成しても良い。また、筐体１０をマグネシウム合金によって形成して補強板２０をアルミニウム板で形成しても良い。いずれにしても、補強板２０を筐体１０より剛性の高い異なる材料により形成すれば良い。このように、補強板２０を筐体より剛性の高い異なる材料により形成することで、同じ材料で形成した場合と比較して剛性を高めることができる。
【００３４】
また、上述した実施の形態では、表示パネル８に配線基板９を接続する部位を覆う位置に補強板２０を設けた場合について説明したが、応力に対する強度の低い部位を覆う位置に補強板２０を設けることが望ましく、表示パネル８のバックライト用の蛍光ランプを覆う位置に補強板２０を設けても良い。
【００３５】
さらに、上述した実施の形態では、本発明をノートＰＣ１に適用した場合について説明したが、これに限らず、携帯電話などの他の携帯機器に本発明を適用することもできる。
【図面の簡単な説明】
【００３６】
【図１】この発明の実施の形態に係るノートＰＣの概観を示す斜視図。
【図２】図１のノートＰＣの表示装置をＰＣ本体に対して開放した状態を示す斜視図。
【図３】図１のノートＰＣの断面図。
【図４】表示装置の筐体から補強板を取り外した状態を示す斜視図。
【図５】補強板の斜視図。
【図６】図５の補強板を裏側から見た斜視図。
【図７】筐体の凹部と補強板との間の接続部分を拡大した部分拡大断面図。
【図８】表示装置の筐体から表示パネルを取り外した状態を示す斜視図。
【符号の説明】
【００３７】
１…ノートＰＣ、２…表示装置、３…ヒンジ部、４…ＰＣ本体、８…表示パネル、９…配線基板、１０…筐体、１０ａ…外面、１１…凹部、１３…開口部、１４…壁部、１５…アンテナ、１６…シールド部材、１７…導電性テープ、１８…電子部品、２０…補強板、２１…縁部、２４…リブ。
【図１】
2006293926.tif 000003
【図２】
2006293926.tif 000004
【図３】
2006293926.tif 000005
【図４】
2006293926.tif 000006
【図５】
2006293926.tif 000007
【図６】
2006293926.tif 000008
【図７】
2006293926.tif 000009
【図８】
2006293926.tif 000010